(57)【要約】【課題】  ＬＥＤ照明ユニットの全体の厚さを薄くするとともに、ＬＥＤ照明ユニットの全体を覆う通常のフード（大型のフード）を不要にして、ＬＥＤ照明ユニットの全体の小型化及び低コスト化に寄与する。【解決手段】  シート状のベース部材２の表面２ｆに設けた配線回路３上にマウントした複数のＬＥＤチップ４…を備えるＬＥＤ照明ユニット１であって、複数のＬＥＤチップ４…における一個の各ＬＥＤチップ４…又は／及び隣合う複数個の各ＬＥＤチップ４…の少なくとも一部を覆い、かつ少なくとも各ＬＥＤチップ４…からの照射光Ｃの全部又は一部を反射させる機能を有するフードチップ部材５…を、ベース部材２に一体に設けることにより、複数のフード付照明部６…を構成する。【選択図】  図１
2014179257.tif 000002
【特許請求の範囲】
【請求項１】
シート状のベース部材の表面に設けた配線回路上にマウントした複数のＬＥＤチップを備えるＬＥＤ照明ユニットであって、前記複数のＬＥＤチップにおける一個の各ＬＥＤチップ又は／及び隣合う複数個の各ＬＥＤチップの少なくとも一部を覆い、かつ少なくとも各ＬＥＤチップからの照射光の全部又は一部を反射させる機能を有するフードチップ部材を、前記ベース部材に一体に設けることにより、複数のフード付照明部を構成してなることを特徴とするＬＥＤ照明ユニット。
【請求項２】
前記ベース部材は、合成樹脂素材により形成することを特徴とする請求項１記載のＬＥＤ照明ユニット。
【請求項３】
前記ベース部材は、裏面を接着面として構成し、又は取付手段と組合わせて構成することにより、所定の取付対象に取付可能にすることを特徴とする請求項１又は２記載のＬＥＤ照明ユニット。
【請求項４】
前記ベース部材は、細長いテープ状に形成し、湾曲又は折曲することにより、少なくとも、文字，数字又は図形を象ってなることを特徴とする請求項１，２又は３記載のＬＥＤ照明ユニット。
【請求項５】
前記ベース部材は、少なくとも一部を放熱面として用いることを特徴とする請求項１〜４のいずれかに記載のＬＥＤ照明ユニット。
【請求項６】
前記フードチップ部材は、前記ベース部材にマウントし、かつレーザー半田付方式により固着することを特徴とする請求項１〜５のいずれかに記載のＬＥＤ照明ユニット。
【請求項７】
前記フードチップ部材は、前記ＬＥＤチップを覆う内面を反射面として構成することを特徴とする請求項１〜６のいずれかに記載のＬＥＤ照明ユニット。
【請求項８】
前記フードチップ部材は、前記ＬＥＤチップからの照射光を反射する内面の反対面となる外面を乱反射面として構成することを特徴とする請求項１〜７のいずれかに記載のＬＥＤ照明ユニット。
【請求項９】
前記ＬＥＤチップには、少なくとも当該ＬＥＤチップを覆う防水手段を付加してなることを特徴とする請求項１〜８のいずれかに記載のＬＥＤ照明ユニット。
【発明の詳細な説明】
【技術分野】
【０００１】
本発明は、シート状のベース部材の表面に設けた配線回路上にマウントした複数のＬＥＤチップを備えるＬＥＤ照明ユニットに関する。
【背景技術】
【０００２】
一般に、ベース部材の表面に設けた配線回路上に複数のＬＥＤをマウントして構成したＬＥＤ照明ユニットとしては、特許文献１で開示される植物栽培用照明装置が知られている。
【０００３】
同文献１で開示される植物栽培用照明装置は、コンパクト化と生産性を実用性が高くかつ低コストの構成によって実現することを目的としたものであり、具体的には、熱伝導性材からなる板状の基材、即ち、平板状又は略波板状に形成された板状の基材の一方の側面に、帯状のモールド材中に複数のＬＥＤを所定間隔で埋設配置してなるＬＥＤユニットを取付けて構成したものであり、栽培植物に照光してその成育を促進させることができる。なお、使用するＬＥＤには、６００ｎｍ付近の波長の赤色光を発する赤色ＬＥＤ，４５０ｎｍ付近の波長の青色光を発する青色ＬＥＤが用いられる。
【先行技術文献】
【特許文献】
【０００４】
【特許文献１】特開２００９−２９１１８５号公報
【発明の概要】
【発明が解決しようとする課題】
【０００５】
しかし、上述したＬＥＤを用いた従来の照明ユニット（植物栽培用照明装置）は、次のような問題点があった。
【０００６】
第一に、汎用性のある照明ユニットとして実用化する場合、用途毎に必ずしも適切に対応できるとはいえないとともに、画期性及び発展性のある使用態様を構築できない。即ち、単に基板上にＬＥＤをマウントする構造のため、例えば、街灯や表示灯等の照明ユニットとして実用化する場合、従来から広く知られている電球や蛍光灯等の基本形態の発光源として組込んだり或いは類似形態として構築する以上の画期性及び発展性のある照明ユニットとしての実用化を図るのは容易でない。
【０００７】
第二に、ＬＥＤは照射光が指向性のある発光源となるため、例えば、照射方向を変えたい場合、照射具自体を照射光方向に向けて設置するなど、設置角度を設定する必要があるとともに、照射光を広範囲に拡散したい場合、照射光を拡散させるための別途の拡散手段と組合わせて使用する必要があるなど、照明ユニットの小型化及び低コスト化を図るにも限界があり、特に、フードを付けた照明ユニットとして実用化する場合の全体の小型化を図るのは困難である。
【０００８】
本発明は、このような背景技術に存在する課題を解決したＬＥＤ照明ユニットの提供を目的とするものである。
【課題を解決するための手段】
【０００９】
本発明に係るＬＥＤ照明ユニット１は、上述した課題を解決するため、シート状のベース部材２の表面２ｆに設けた配線回路３上にマウントした複数のＬＥＤチップ４…を備えるＬＥＤ照明ユニットであって、複数のＬＥＤチップ４…における一個の各ＬＥＤチップ４…又は／及び隣合う複数個の各ＬＥＤチップ４…の少なくとも一部を覆い、かつ少なくとも各ＬＥＤチップ４…からの照射光Ｃの全部又は一部を反射させる機能を有するフードチップ部材５…を、ベース部材２に一体に設けることにより、複数のフード付照明部６…を構成してなることを特徴とする。
【００１０】
この場合、発明の好適な態様により、ベース部材２は、合成樹脂素材Ｒにより形成することができる。また、ベース部材２は、裏面２ｒを接着面Ｊとして構成し、又は取付手段と組合わせて構成することにより、所定の取付対象Ｐに取付可能にすることができる。なお、ベース部材２は、細長いテープ状に形成し、湾曲又は折曲することにより、少なくとも、文字Ｗ，数字又は図形Ｆを象ることができる。さらに、ベース部材２は、少なくとも一部を放熱面２ｓとして用いることができる。他方、フードチップ部材５…は、ベース部材２にマウントし、かつレーザー半田付方式により固着することができる。また、このフードチップ部材５…は、ＬＥＤチップ４…を覆う内面を反射面５ｉｍとして構成することができるとともに、ＬＥＤチップ４…からの照射光Ｃを反射する内面の反対面となる外面を乱反射面５ｏｍとして構成することができる。さらに、ＬＥＤチップ４…には少なくとも当該ＬＥＤチップ４…を覆う防水手段７を付加することができる。
【発明の効果】
【００１１】
このような構成を有する本発明に係るＬＥＤ照明ユニット１によれば、次のような顕著な効果を奏する。
【００１２】
（１）  複数のＬＥＤチップ４…における一個の各ＬＥＤチップ４…又は／及び隣合う複数個の各ＬＥＤチップ４…の少なくとも一部を覆い、かつ少なくとも各ＬＥＤチップ４…からの照射光Ｃの全部又は一部を反射させる機能を有するフードチップ部材５…を、ベース部材２に一体に設けてなるため、ＬＥＤ照明ユニット１は、複数のフード付照明部６…を配列した構成となる。したがって、フードを備えるＬＥＤ照明ユニット１として実用化する場合、全体の厚さ（突出長）は、フード付照明部６の厚さ（突出長）と同じにできるため、ＬＥＤ照明ユニット１全体の厚さを薄くできるとともに、全体の小型コンパクト化を図ることができる。しかも、ＬＥＤ照明ユニット１全体を覆う通常のフード、即ち、大型のフードが不要となるため、照明ユニット１全体の低コスト化にも寄与できる。
【００１３】
（２）  好適な態様により、ベース部材２を、合成樹脂素材Ｒにより形成すれば、ベース部材２の薄肉化及びフレキシブル化が可能となるため、湾曲面や折曲面を含む取付対象Ｐに対して容易かつ確実に取付けできるとともに、突出長が限定される用途にも容易かつ確実に適応できるなど、従来における電球や蛍光灯等の既存照明とは大きく異なる使用態様を実現でき、この結果、画期性及び発展性のあるＬＥＤ照明ユニット１として実用化できる。
【００１４】
（３）  好適な態様により、ベース部材２の裏面２ｒを接着面Ｊとして構成し、又はベース部材２を取付手段と組合わせて構成することにより所定の取付対象Ｐに取付可能にすれば、ベース部材２の裏面２ｒを取付対象Ｐに直接取付けることができるため、ボルトやねじ等の他の取付部材を追加することなく、フードを備えるＬＥＤ照明ユニット１として容易に設置できる。
【００１５】
（４）  好適な態様により、ベース部材２を、細長いテープ状に形成し、湾曲又は折曲することにより、少なくとも、文字Ｗ，数字又は図形Ｆを象るようにすれば、他の部材を追加することなく、容易に、文字Ｗ，数字又は図形Ｆの表示を行うことができる。
【００１６】
（５）  好適な態様により、ベース部材２の少なくとも一部を放熱面２ｓとして用いれば、別途の放熱板等を使用することなく、ＬＥＤチップ４…に対する冷却機能を容易に付加することができる。
【００１７】
（６）  好適な態様により、フードチップ部材５…を、ベース部材２にマウントし、かつレーザー半田付方式により固着するようにすれば、ＬＥＤチップ４…に対して熱的な悪影響を与えることなく、容易かつ確実にフードチップ部材５…の取付けを行うことができる。
【００１８】
（７）  好適な態様により、フードチップ部材５…を、ＬＥＤチップ４…を覆う内面を反射面５ｉｍとして構成すれば、ＬＥＤチップ４…からの照射光Ｃをより効率的に反射させることができる。
【００１９】
（８）  好適な態様により、ＬＥＤチップ４…からの照射光Ｃを反射する内面の反対面となる外面を乱反射面５ｏｍとして構成すれば、任意のＬＥＤチップ４に対して設けたフードチップ部材５に、他のＬＥＤチップ４からの照射光Ｃの拡散機能を持たせることができる。特に、ＬＥＤチップ４…からの照射光Ｃを反射する内面と組合わせることにより、任意のＬＥＤチップ４からの照射光Ｃの反射機能（方向変換機能）と他のＬＥＤチップ４からの照射光Ｃの拡散機能の二つの機能を兼用可能になり、多機能性及び多様性を高めることができる。
【００２０】
（９）  好適な態様により、ＬＥＤチップ４…に、少なくとも当該ＬＥＤチップ４…を覆う防水手段７を付加すれば、特に、屋外やお風呂場等の水分の影響を受ける場所にも取付け可能になるため、使用エリアをより広げることができる。
【図面の簡単な説明】
【００２１】
【図１】本発明の好適実施形態に係るＬＥＤ照明ユニットの正面図を含む全体の構成図、
【図２】同ＬＥＤ照明ユニットにおけるフード付照明部の側面断面図、
【図３】同ＬＥＤ照明ユニットの製造工程図、
【図４】同ＬＥＤ照明ユニットを防水処理した状態の側面断面図、
【図５】同ＬＥＤ照明ユニットにおけるフード付照明部の正面図、
【図６】同ＬＥＤ照明ユニットを電柱に取付けた状態の側面図、
【図７】同ＬＥＤ照明ユニットを電柱に取付けた状態の平面図、
【図８】同ＬＥＤ照明ユニットを案内表示に取付けた状態の正面図、
【図９】本発明の変更実施形態に係るＬＥＤ照明ユニットの説明図、
【図１０】本発明の他の変更実施形態に係るＬＥＤ照明ユニットの説明図、
【図１１】本発明の他の変更実施形態に係るＬＥＤ照明ユニットの説明図、
【発明を実施するための形態】
【００２２】
次に、本発明に係る好適実施形態を挙げ、図面に基づき詳細に説明する。
【００２３】
まず、本実施形態に係るＬＥＤ照明ユニット１の基本構成について、図１，図２及び図５を参照して説明する。
【００２４】
ＬＥＤ照明ユニット１は、基本構成として、図１に示すようなシート状のベース部材２を備えるとともに、このベース部材２の表面２ｆに設けた配線回路３上にマウントした複数のＬＥＤチップ４…を備える。
【００２５】
ベース部材２は、ＰＥＴ（ポリエチレンテレフタラート）フィルム，ＰＥＮ（ポリエチレンナフタレート）フィルム等の合成樹脂素材Ｒにより全体を矩形に形成する。ベース部材２を、このような合成樹脂素材Ｒを用いて形成すれば、ベース部材２の薄肉化及びフレキシブル化が可能となるため、湾曲面や折曲面を含む取付対象Ｐに対して容易かつ確実に取付けできるとともに、突出長が限定される用途にも容易かつ確実に適応できるなど、従来における電球や蛍光灯等の既存照明とは大きく異なる使用態様を実現でき、この結果、画期性及び発展性のあるＬＥＤ照明ユニット１として実用化できる。
【００２６】
また、例示の場合、ベース部材２の裏面２ｒを接着面Ｊとして構成した。これにより、所定の取付対象Ｐに対して貼付（接着）により取付可能となる。なお、ベース部材２は、取付バンド等の取付手段と組合わせることにより所定の取付対象Ｐに取付けることも可能である。このように、ベース部材２は、裏面２ｒを取付対象Ｐに直接重ね、各種取付手段を用いて取付けることができる。したがって、ボルトやねじ等の他の取付部材を追加することなく、フードを備えるＬＥＤ照明ユニット１として容易に設置できる利点がある。
【００２７】
そして、ベース部材２の表面２ｆには、複数のＬＥＤチップ４…が配列するようにマウントする。この場合、ベース部材２の表面２ｆには、所定の配線回路３を設け、この配線回路３上に各ＬＥＤチップ４のリード４ｐ…（図５参照）を固着してマウントする。例示の場合、ＬＥＤチップ４…の数量は、縦方向に三列，横方向に四列の計１２個であり、各ＬＥＤチップ４は四つのリード４ｐ…を有している。さらに、配線回路３には、使用するＬＥＤチップ４…の特性に合わせた電源部１１を接続することができる。
【００２８】
一方、複数のＬＥＤチップ４…における一個の各ＬＥＤチップ４…の少なくとも一部を覆い、かつ少なくとも各ＬＥＤチップ４…からの照射光Ｃの全部又は一部を反射させる機能を有するフードチップ部材５…を、ベース部材２に一体に設けることにより、複数のフード付照明部６…を構成する。フードチップ部材５…は、各ＬＥＤチップ４…からの照射光Ｃを斜め下方に向けさせるためのものであり、ベース部材２に設けた際には、図２に示すように、下面が開放された形態となる。フードチップ部材５は、ＬＥＤチップ４よりやや大きいチップ状に形成するとともに、ＬＥＤチップ４…を覆う内面は、反射面５ｉｍとして形成する。これにより、ＬＥＤチップ４…からの照射光Ｃをより効率的に反射させることができる。
【００２９】
また、フードチップ部材５…における両側に位置する端辺には、図５に示す四つの取付片５ｐ…を一体形成し、この取付片５ｐ…をベース部材２の表面２ｆに固着する。このため、ベース部材２の表面２ｆには、各取付片５ｐ…を半田付け可能なパッド部を設けてある。例示の場合、一個の各ＬＥＤチップ４…をそれぞれ一つのフードチップ部材５…により覆う例を示したが、一つのフードチップ部材５により隣合う複数個の各ＬＥＤチップ４…を覆うようにしてもよい。例えば、図１の場合、横方向に配列した四個のＬＥＤチップ４…を有するため、この四個のＬＥＤチップ４…に対して、二個同士，三個と一個，又は四個を、横に細長く形成したフードチップ部材５…により覆うことも可能である。
【００３０】
次に、本実施形態に係るＬＥＤ照明ユニット１の製造方法について、各図を参照しつつ図３に示す工程図に従って説明する。
【００３１】
まず、ベース部材製作工程によりベース部材２を製作する（ステップＳ１）。ベース部材２は、ＰＥＴフィルム，ＰＥＮフィルム等の合成樹脂素材Ｒを用いてシート状に形成するとともに、表面２ｆには、例えば、被膜状に形成した所定の配線回路３を設ける。この場合、予め、長尺状（テープ状）となる連続したベース部材、即ち、複数のベース部材２が連続する長尺状のベース部材を製作することにより、後で所定長さ単位にカッティングして用いることができる。
【００３２】
次いで、第一ディスペンス工程に移行し、ベース部材２の表面２ｆにおける配線回路３の所定位置に、ディスペンサを用いて半田（クリーム半田）を塗布する（ステップＳ２）。このようなディスペンサ方式を用いることにより、半田の安定した塗布を実現できるとともに、塗布量を容易に変えることができる利点がある。第一ディスペンス工程が終了したなら、ＬＥＤチップマウント工程に移行し、ベース部材２の表面２ｆにＬＥＤチップ４…をマウントする（ステップＳ３）。例示の場合、各ＬＥＤチップ４…は、四つのリード４ｐ…を有するため、塗布した半田の上に各リード４ｐ…が載るようにマウントする。
【００３３】
ＬＥＤチップマウント工程が終了したならＬＥＤ半田付工程に移行する（ステップＳ４）。ＬＥＤ半田付工程では、レーザー半田付方式により半田付けを行う。即ち、上述したリード４ｐ…に対してレーザー光を照射し、局所加熱により半田を溶解させることにより、各リード４ｐ…を配線回路３のパッド部に半田付け（接合）する。このようなレーザー半田付方式を用いれば、一般的なリフロー方式による半田付けとは異なり、局所加熱が可能になるため、ＬＥＤチップ４…の本体に対して熱的な悪影響を与えることなく容易かつ確実にＬＥＤチップ４…の取付けを行うことができる。ＬＥＤ半田付工程が終了したなら中間検査工程を行い、不良の有無を検査する（ステップＳ５）。
【００３４】
次いで、第二ディスペンス工程に移行し、ベース部材２の表面２ｆにおけるフードチップ部材５…を取付ける所定位置に、ディスペンサを用いて半田（クリーム半田）を塗布する（ステップＳ６）。このようなディスペンサ方式を用いれば、上述したＬＥＤチップ４…の取付けの場合と同様に、半田の安定した塗布を実現できるとともに、塗布量を容易に変えることができる。第二ディスペンス工程が終了したなら、フードチップ部材マウント工程に移行し、ベース部材２の表面２ｆにフードチップ部材５…をマウントする（ステップＳ７）。例示の場合、各フードチップ部材５…は、四つの取付片５ｐ…を有するため、塗布した半田の上に各取付片５ｐ…が載るようにマウントする。このため、ベース部材２の表面２ｆには、各取付片５ｐ…を取付けるためのパッド部が設けられている。このパッド部は、配線回路３とは異なる位置に別途設けてもよいし、配線回路３の一部として形成し、グラウンド（アースライン）に接続してもよい。
【００３５】
そして、フードチップ部材マウント工程が終了したなら、フード半田付工程に移行する（ステップＳ８）。フード半田付工程も、前述したレーザー半田付方式により半田付けを行う。即ち、上述した取付片５ｐ…に対してレーザー光を照射し、局所加熱により半田を溶解させることにより各取付片５ｐ…を所定のパッド部上に半田付け（固着）する。このようなレーザー半田付方式により固着するようにすれば、ＬＥＤチップ４…に対して熱的な悪影響を与えることなく容易かつ確実にフードチップ部材５…の取付けを行うことができる利点がある。フード半田付工程が終了したなら中間検査工程を行い、不良の有無を検査する（ステップＳ９）。そして、良品の場合には、カッティング工程により所定の長さ単位にカッティングする（ステップＳ１０）。即ち、例示の場合、図１に示す横方向に四個のＬＥＤチップ４…毎にカッティングする。これにより、基本的な構成を具備するＬＥＤ照明ユニット１を得ることができる。
【００３６】
一方、カッティング工程で得られたＬＥＤ照明ユニット１に対しては、付加処理工程により必要な機能を付加する処理を行う（ステップＳ１１）。付加する機能としては、例えば、ＬＥＤ照明ユニット１を所定の取付対象Ｐに取付けるための接着機能、或いはＬＥＤ照明ユニット１を屋外に設置する場合の防水機能等がある。
【００３７】
この場合、接着機能の付加は、ベース部材２の裏面２ｒに接着剤を塗布することにより実施することができる。即ち、ベース部材２の裏面２ｒに、図２に示すように、接着剤を塗布し、或いは両面接着テープを貼付けるなどにより、接着面Ｊとして構成すればよい。これにより、ベース部材２（ＬＥＤ照明ユニット１）を壁面等に容易に取付けることができる。なお、接着面Ｊには剥離シート等を貼付け、取付けを行うまで当該接着面Ｊを保護することが望ましい。
【００３８】
また、防水機能の付加は、防水手段７を付加することにより実施できる。図４に防水手段７の一例として三つのタイプを示している。図４（ａ）は、防水カバー７ａを用いた例を示す。この場合、透明素材により形成し、かつベース部材２の表面２ｆの全体を覆うことができる防水カバー７ａを用意し、防水カバー７ａの端辺部７ａｅをベース部材２の端縁に固定することにより、ベース部材２と防水カバー７ａにより囲まれる密閉空間を設ける。これにより、ベース部材２の表面２ｆに外部から水が進入するのを阻止できる。図４（ｂ）は、熱収縮チューブ７ｂを用いた例を示す。この場合、透明素材により形成した熱収縮チューブ７ｂによりＬＥＤ照明ユニット１の全体を覆うようにしたものであり、これにより、熱収縮させた熱収縮チューブ７ｂの内部への水の進入を阻止することができる。図４（ｃ）は、熱硬化性樹脂７ｃを用いた例を示す。この場合、透明素材を用いた熱硬化性樹脂７ｃを、フードチップ部材５…の内部に充填するとともに、ＬＥＤチップ４…の回りを完全に覆うようにしたものであり、これにより、少なくとも各ＬＥＤチップ４…に対しての防水機能を確保できる。このような防水機能を付加することにより、特に、屋外やお風呂場等の水分の影響を受ける場所にも取付けることができ、使用エリアをより広げることができる利点がある。
【００３９】
そして、以上の付加処理工程が終了したなら、最終検査工程により良否に係わる最終的な検査を行う（ステップＳ１２）。これにより、目的のＬＥＤ照明ユニット１を得ることができる。
【００４０】
次に、本実施形態に係るＬＥＤ照明ユニット１の使用方法について、図６〜図８を参照して説明する。
【００４１】
ＬＥＤ照明ユニット１は、例えば、電柱や壁面等に取付けることにより街灯として用いることができる。図６及び図７は、ＬＥＤ照明ユニット１を電柱３１の外面３１ｆに直接貼付けて街灯１ｘとして用いた例を示す。この場合、ＬＥＤ照明ユニット１を電柱３１における所定の高さに位置させることにより、図６に示すように、ＬＥＤ照明ユニット１における各フード付照明部６…からの照射光Ｃは斜め下方に照射されるため、歩道等の地面を照らすことができる。しかも、図７に示すように、電柱３１の湾曲した外面３１ｆに沿って貼付けるため、所定の角度範囲、例示の場合、歩道等の前後の範囲までを有効に照らすことができる。
【００４２】
また、ＬＥＤ照明ユニット１は、図８に示すように、案内表示板４１を照らす案内表示用の照明器１ｙとして用いることができる。即ち、ＬＥＤ照明ユニット１は、フード付であって全体がシート状に構成されるため、図８に示すように、例えば、「非常口」を表示した案内表示板４１の上面部分に照明器１ｙを貼付けることにより、下方に位置する「非常口」の文字を有効に照らすことができる。この場合、特に、「非常口」の文字を局所的に照らすため、僅かな消費電力で足りるとともに、照明器１ｙは、極めて薄いため、非常口のドア等の表面に取付けた場合であっても無用は突出はほとんどなく、人に当たってしまうなどの不具合は生じない。
【００４３】
このように、本実施形態に係るＬＥＤ照明ユニット１によれば、複数のＬＥＤチップ４…における一個の各ＬＥＤチップ４…又は／及び隣合う複数個の各ＬＥＤチップ４…の少なくとも一部を覆い、かつ少なくとも各ＬＥＤチップ４…からの照射光Ｃの全部又は一部を反射させる機能を有するフードチップ部材５…を、ベース部材２に一体に設けてなるため、ＬＥＤ照明ユニット１は、複数のフード付照明部６…を配列した構成となる。したがって、フードを備えるＬＥＤ照明ユニット１として実用化する場合、全体の厚さ（突出長）は、フード付照明部６の厚さ（突出長）と同じにできるため、ＬＥＤ照明ユニット１全体の厚さを薄くできるとともに、全体の小型コンパクト化を図ることができる。しかも、ＬＥＤ照明ユニット１全体を覆う通常のフード、即ち、大型のフードが不要となるため、照明ユニット１全体の低コスト化にも寄与できる。
【００４４】
次に、本発明の変更実施形態に係るＬＥＤ照明ユニット１について、図９〜図１１を参照して説明する。
【００４５】
図９は、ベース部材２を、細長いテープ状に形成し、湾曲又は折曲することにより、少なくとも、文字Ｗ，数字又は図形Ｆを象って構成した変更実施形態を示す。図９（ａ）は、ベース部材２の面平行方向から見たＬＥＤ照明ユニット１の正面図を示し、図９（ｂ）は、ベース部材２の面直角方向から見たＬＥＤ照明ユニット１の平面図を示す。
【００４６】
この変更実施形態に係るＬＥＤ照明ユニット１は、図９（ｂ）に示すように、細長いテープ状のベース部材２の幅方向一方の端辺２ｐから直角方向に照射光Ｃを照射するようにしたものであり、各フード付照明部６…を当該端辺２ｓに沿って一定間隔置きに設ける。したがって、このように構成すれば、ベース部材２の幅方向他方の端辺２ｑ側にはフード付照明部６は存在しないため、この存在しない領域における所定の面積を確保することにより放熱面２ｓとして構成できる。このように、ベース部材２の少なくとも一部を放熱面２ｓとして用いれば、別途の放熱板等を使用することなく、ＬＥＤチップ４…に対する冷却機能を容易に付加できる利点がある。
【００４７】
また、ＬＥＤ照明ユニット１を、このような細長いテープ状に形成すれば、任意に湾曲又は折曲することにより、少なくとも、文字，数字又は図形を象ることが可能となる。具体的には、図９（ｃ）のように、渦巻状に巻くことにより、全体が円柱形となる照明ユニットを構成できる。この場合、前端面１ｐが照射面となり、後端面１ｑが放熱面となる。しかも、渦巻の巻数を変更することにより、ＬＥＤ照明ユニット１の明るさ（輝度）を容易に変更することができる。さらに、ベース部材２を任意に湾曲又は折曲することにより、図９（ｄ）に示す文字Ｗを象ることができる。図９（ｄ）は、アルファベットの「Ｒ」を象ったものである。したがって、このような文字Ｗや数字、更には図形を組合わせることにより輝度の高い看板や案内板等を製作することができる。なお、図９（ｃ）は、円の図形Ｆを象ったものとなる。このように、このＬＥＤ照明ユニット１は、ベース部材２を、細長いテープ状に形成し、湾曲又は折曲することにより、少なくとも、文字Ｗ，数字又は図形Ｆを象って構成できるとともに、特に、他の部材を追加することなく、容易に、文字Ｗ，数字又は図形の表示を行うことができる。
【００４８】
図１０は、ＬＥＤチップ４…からの照射光Ｃを反射する内面の反対面となる外面を乱反射面５ｏｍとして構成したＬＥＤ照明ユニット１の変更実施形態を示す。したがって、この変更実施形態では、図１０（ａ）に示すように、任意のＬＥＤチップ４からの照射光Ｃはフードチップ部材５の内面（反射面５ｉｍ）を反射し、この反射した照射光Ｃは、ほぼ直角方向に進行することにより隣接するフードチップ部材５の外面に照射される。この際、フードチップ部材５の外面は乱反射面５ｏｍとして構成されるため、図１０（ａ）に示すように、広い範囲に拡散される。しかも、図１０（ｂ）に示すように、球面状に形成した部位では、さらに広い範囲の放射方向に拡散できる。このように、ＬＥＤチップ４…からの照射光Ｃを反射する内面の反対面となる外面を乱反射面５ｏｍとして構成すれば、任意のＬＥＤチップ４に対して設けたフードチップ部材５に、他のＬＥＤチップ４からの照射光Ｃの拡散機能を持たせることができる。このようなＬＥＤ照明ユニット１は、他の拡散手段、例えば、乳白色パネル等と組合わせることなく照射光Ｃを拡散できる利点がある。特に、ＬＥＤチップ４…からの照射光Ｃを反射する内面と組合わせることにより、任意のＬＥＤチップ４からの照射光Ｃの反射機能（方向変換機能）と他のＬＥＤチップ４からの照射光Ｃの拡散機能の二つの機能を兼用可能になり、多機能性及び多様性を高めることができる。
【００４９】
図１１は、図９（ｃ）の変更実施形態を示す。図１１のＬＥＤ照明ユニット１は、図９（ｃ）におけるベース部材２をフードチップ部材５に兼用させたものである。したがって、図１１の場合、図９（ａ），（ｂ）及び（ｃ）に示したフードチップ部材５…は設けておらず、ベース部材２が兼用している。即ち、ＬＥＤチップ４…がいわば丸出しの状態になっている。図１１のＬＥＤ照明ユニット１では、図９（ａ），（ｂ）及び（ｃ）におけるフードチップ部材５…を省略できる利点がある。なお、必要により後端面１ｑは照射光Ｃが漏れない形態とするができる。
【００５０】
以上、好適実施形態（変更実施形態）について詳細に説明したが、本発明は、このような実施形態に限定されるものではなく、細部の構成，形状，素材，数量，数値等において、本発明の要旨を逸脱しない範囲で、任意に変更，追加，削除することができる。
【００５１】
例えば、ベース部材２は、合成樹脂素材Ｒにより形成した場合を示したが、ゴム素材，金属素材，セラミック素材等の他の素材の使用や複合素材の使用を排除するものではない。また、ベース部材２は、裏面２ｒを接着面Ｊとして構成し、又は取付手段と組合わせて構成することにより、所定の取付対象Ｐに取付可能にした例を示したが、他の各種公知の取付手段を利用することができる。さらに、ベース部材２の形状やフードチップ部材５…の形状は例示に限定されるものではなく各種形状により実施できる。一方、ＬＥＤチップ４…の発光色も任意であり、照明の場合には白色、文字Ｗ，数字又は図形Ｆを象った場合には各種カラー等、様々な用途に応じて様々な色を選定することができる。
【産業上の利用可能性】
【００５２】
本発明に係るＬＥＤ照明ユニットは、例示した街灯や案内表示用照明ユニットをはじめ、照明部（発光部）を必要とする様々な用途に利用することができる。
【符号の説明】
【００５３】
１：ＬＥＤ照明ユニット，２：ベース部材，２ｆ：ベース部材の表面，２ｒ：ベース部材の裏面，２ｓ：放熱面，３：配線回路，４…：ＬＥＤチップ，５…：フードチップ部材，５ｉｍ：反射面，５ｏｍ：乱反射面，６…：フード付照明部，７：防水手段，Ｃ：照射光，Ｒ：合成樹脂素材，Ｊ…：接着面，Ｐ：取付対象，Ｗ：文字，Ｆ：図形
【図１】
2014179257.tif 000003
【図２】
2014179257.tif 000004
【図３】
2014179257.tif 000005
【図４】
2014179257.tif 000006
【図５】
2014179257.tif 000007
【図６】
2014179257.tif 000008
【図７】
2014179257.tif 000009
【図８】
2014179257.tif 000010
【図９】
2014179257.tif 000011
【図１０】
2014179257.tif 000012
【図１１】
2014179257.tif 000013